(57)【要約】【課題】いかなる型の付加的貫通または付加的制御装置の設置も必要とせず、比較的低価格で製造され、実際の圧縮機温度を追跡しうる進歩した排出ガスの温度を監視し、かつそれに対応しうる装置の提供。【解決手段】スクロール圧縮機（１０，３００）の熱保護装置（２００，４００）は、圧縮機の排出区域と吸入区域との間の通路を通すことにより、スクロール圧縮機の排出通路内（９４，３９４）に直接設置された温度センサ（２０２）を有する。温度センサからの導線は通常のモータ温度センサ（４８）回路に直列に接続され、圧縮機の密閉殻体内に設置されたモータ温度制御装置の一体部分としてスクロール排出温度制御作用を奏する。本発明の付加的実施例は排出ガス温度を感知するばかりでなく、圧縮機の他の選択された要素の実際の温度を感知する作用を奏する。【選択図】図１
2005344726.tif 000002
【特許請求の範囲】
【請求項１】
スクロール型圧縮機であって、
ａ．モータ空所を有する密閉式殻体と、
ｂ．前記殻体内にあって、その一面に第１うず巻ラップを有する第１スクロール部材と、
ｃ．前記殻体内に設置され、その一面に第２うず巻ラップを有する第２スクロール部材であって、前記第１と第２うず巻ラップが互いにかみ合う第２スクロール部材と、
ｄ．前記殻体のモータ空所に設置されたモータにして、前記第１スクロール部材のラップを前記第２スクロール部材のラップに対して回転させ、それによりこれら第１と第２うず巻ラップが、吸入圧力の吸入区域から排出圧力の排出区域まで容積を徐々に減少するポケットを形成し、前記第２スクロール部材が吐出路を形成するモータと、
ｅ．吸入ガスを前記殻体内に導入する装置と、
ｆ．前記モータが所定温度に達したときに当該モータを消勢する第１装置にして、前記密閉式殻体内に設置された第１装置と、
ｇ．前記モータを消勢する第２装置にして、前記吐出路内に設置され、圧縮機の好ましくない運転状態を感知すると前記モータを消勢するように作動可能で、前記モータを消勢する前記第１装置と直列に接続された前記密閉式殻体内に設置された第２装置とを有し、前記第２スクロール部材が、前記吐出路に始まって当該第２スクロール部材の外周まで延びる通路を形成し、前記モータを消勢する第２装置が前記通路を通して延在する、スクロール型圧縮機。
【請求項２】
請求項１に記載の圧縮機において、前記第１スクロール部材が軌道スクロールで、前記第２スクロール部材が非軌道スクロールであり、前記モータは前記軌道スクロールを前記非軌道スクロールに対して軸線の周りに軌道運動させる、スクロール型圧縮機。
【請求項３】
請求項１に記載の圧縮機において、前記第１スクロール部材が第１軸線の周りを、前記第２スクロール部材が第２軸線の周りを回転し、前記第１軸線は前記第２軸線からずらされている、スクロール型圧縮機。
【請求項４】
請求項１に記載の圧縮機において、前記モータを消勢する第２装置は、前記吐出区域内に設置した熱応動保護装置である、スクロール型圧縮機。
【請求項５】
請求項４に記載の圧縮機において、前記熱応動保護装置はサーミスタを有する、スクロール型圧縮機。
【発明の詳細な説明】
【技術分野】
【０００１】
本発明はスクロール機械に関する。とくに、本発明はスクロール機械を過熱から保護する特異な装置を有するスクロール型圧縮機に関する。
【背景技術】
【０００２】
通常のスクロール型圧縮機はその一面にらせん重なりを設けられた第１スクロール部材、その一面にらせん重なりを設けられた第２スクロール部材を有し、両スクロール部材のらせん重なりは互いに係合し、また第１スクロール部材を第２スクロール部材とは別の軸上で回転させ、それによりらせん重なりは吸入区域から排出区域まで容積が徐々に減少するポケットを形成する装置を有する。
第１スクロール部材を第２スクロール部材とは別の軸上で回転させる装置は、多くの場合電気モータである。これらの電気モータは過度の温度状態が存在するときモータの運転を停止するため熱的保護装置を備えることができる。これらの熱的保護装置は通常単数または複数の温度センサであり、それらはモータ巻線の付近に設置される。温度センサが過度の温度状態に遭遇するとき、信号が制御装置に送られ、モータの運転を停止する。大型圧縮機または高出力圧縮機においては、三相電流が電気モータに供給される。これらの三相電動圧縮機に対して、別の温度センサを電流の各位相に対して巻線内に埋設することができる。これらの三つの温度センサは、個々の位相巻線のいずれか一つが制御装置に信号を送って過度の温度状態によりモータの運転を停止するように、直列に接続される。
【０００３】
ソリッドステートモータ保護制御装置が使用されるとき、サーミスタを温度センサとして使用することができる。サーミスタは大きい正の抵抗温度係数（温度が上昇すると、抵抗も大きくなる）を有する抵抗回路要素である。サーミスタのまたは直列のサーミスタの抵抗はソリッドステートモータ保護制御装置によって監視され、閾値に達したとき、制御装置はリレーを作動して電気モータしたがって圧縮機を停止する。
通常のスクロール型圧縮機は、運転中、一定の固定容積比に関連して機械に設定されるものよりはるかに大きい圧力比で作動する圧縮機のため、過度に大きい排出ガス圧力を発生する。これらの過度の排出ガス圧力は、作動流体装入損失、冷凍状態における凝縮器ファンの停止を含む、多くの異なった分野において遭遇する課題のため、または種々の他の理由によって発生することがある。過度に高い排出ガス圧力はそれ自体過度に高い排出ガス温度を生ずる。圧縮機がこれらの状態において運転し続けるようなことになると、圧縮機は損傷する。
【０００４】
種々の従来技術の方法が、排出ガスの温度を監視するため、また過度の温度に遭遇するとき圧縮機を停止するため開発された。これらの従来技術の方法は、圧縮機の高圧側から低圧側へ高温の排出ガスを漏洩させることを含んでいる。この高温ガスは、上記標準型のモータの熱保護装置を含むモータ要素の温度を上昇させ、制御装置に信号を送ってモータを停止させる。上記構造の変形は高温排出ガスを特殊なモータ要素に指向するための通路または管を含み、安全装置の作用を改善している。これらの構造に付随する課題は、種々のモータ要素が十分に加熱されてモータの熱保護装置に制御装置へ信号を送らせるような、排出ガス温度の上昇に応答することにおいて遅れが避けられないことである。
【０００５】
他の従来技術の排出ガス温度の監視方法は、スクロール型圧縮機の排出区域内に温度センサを設置することである。導線はこのセンサから圧縮機の密閉殻体を通って外側の制御ユニットに導かれ、特定の排出ガス温度に達するとき圧縮機を停止する。この従来技術の方法は上昇した排出ガス温度に対する不可避な反応の遅れを解消したが、温度センサに達するための密閉殻体の貫通は経費の掛かる、そして問題を起こす構造である。殻体の貫通は密閉殻体の一体性を維持するため付加的シールを必要とし、一旦温度センサの導線が殻体の外側に設けられると、付加的制御装置が使用者に必要となる。
【０００６】
排出ガス温度を監視する他の従来技術の方法は、スクロール型圧縮機の排出区域にできるだけ接近して殻体外部に温度センサを設置することである。センサを排出区域にできるだけ接近させるため、従来技術の圧縮機装置は排出区域に突入する殻体の上方部分に深い引出しカップを備えている。温度センサは殻体外部の深い引出しカップの底部に設置される。この従来技術の構造は殻体の付加的貫通の必要性を排除し、排出ガスの温度上昇に対する応答の遅れを短縮するが、ヒートシンクとして作用する殻体のために、高温に対するかなりの応答の遅れが依然として存在する。
【発明の開示】
【発明が解決しようとする課題】
【０００７】
したがって、必要なものは実際の圧縮機温度を追跡する能力を改善したスクロール機械の排出ガス温度を監視しかつそれに反応する装置である。装置は使用者によるいかなる型の殻体の付加的貫通または付加的制御接続も必要とすべきでなく、また比較的低価格で製造されなければならない。
【課題を解決するための手段】
【０００８】
本発明は従来技術の装置の上記欠点を克服したスクロール機械の熱保護装置に関する技術を提供する。本発明はスクロール型圧縮機の排出ポート内に直接設置された温度センサを有する。導線は温度センサから通常のモータ温度センサ回路と直列に接続され、圧縮機の密閉型殻体の内に設置されたモータ温度制御装置の一体部分として、スクロール排出温度制御作用を奏する。本発明の付加的実施例は、排出ガス温度ばかりでなく選択された圧縮機要素の実際の温度を検出する能力をも有する。しかして、本発明は実際の圧縮機温度を追跡する改善された能力を有するとともに、付加的の殻体貫通の必要なしにまた使用者による付加的の制御装置の接続なしに、これらの温度に対応することができる。装置全体は比較的低価格で密閉された殻体の内部に設置することができる。
本発明の他の利点および目的は、下記の詳細な説明、前記特許請求の範囲の記載および図面を参照することによって、この技術に通じた人々には明らかになるであろう。
図面は本発明を実施するため現在もっともよいと考えられる態様である。
【発明を実施するための最良の形態】
【０００９】
本発明は多くの異なった型のスクロール機械に使用するのに適している。その例として、図１の垂直断面図に示されたような、モータおよび圧縮機が密閉殻体内に吸入されるガスによって冷却される、型の密閉式スクロール冷凍モータ圧縮機に使用することができる。
いくつかの図面を通じて同じまたは対応する部品は同じ符号で示された図面を参照すると、図１ないし３において、スクロール型圧縮機１０は本発明の熱保護装置を備えている。圧縮機１０はその上端にふた１４を溶接された円筒形密閉殻体１２を有する。ふた１４は任意に（図示しない）通常の排気弁を有する冷媒排出取付具１６を設けられている。円筒形殻体に取付けられた他の要素は横方向に延びる隔壁１８を含み、隔壁１８は、ふた１４が殻体１２に溶接されているのと同じ点においてその外周を溶接され、下方軸受ハウジング２０はこの技術において周知の方法で複数の点において殻体に、そしてガス吸入取付具２２に取付けられている。
【００１０】
下方軸受ハウジング２０は殻体１２内に主軸受ハウジング２４、モータ固定子２６、軸受２８および非軌道スクロール部材３０を設置しかつ支持している。その上端にクランクピン３４を有する偏心クランク軸３２は、下方軸受ハウジング２０内の軸受２８および主軸受ハウジング２４内の軸受３６に回転可能に軸支されている。クランク軸３２はその下端に通常の比較的直径の大きいオイル給送同心孔３８を有し、その孔３８はそこからクランク軸３２の頂部まで上方に延びる小径の偏倚孔４０と連通している。円筒形殻体１２の下方部分は通常のように潤滑油を充満され、クランク軸底部のポンプは孔４０と共働して潤滑流体を潤滑を必要とする圧縮機の種々の部分に給送するように作用する一次ポンプである。
【００１１】
クランク軸３２はモータ巻線４２が挿通する固定子２６およびクランク軸３２にプレス嵌めされた一つ以上の釣合重錘４６を備えた、モータ回転子４４を有する電気モータによって回転駆動される。通常の型の一つまたは複数の温度センサ４８はモータ巻線４２に密接して設けられ、もしモータ巻線４２が特定の運転温度を超えるならば、温度センサ４８は（図示しない）制御装置に信号を送りモータを消勢する。電気モータが三相電気モータであるとき、別々の温度センサ４８が電流の各位相のモータ巻線に密接して設けられる。複数の温度センサ４８が直列に接続されるとき、三相巻線のいずれか一つの過熱は対応する温度センサ４８を過熱し、センサに制御温度に信号を送らせ、モータを消勢することができる。好ましい実施例において、温度センサ４８はサーミスタであり、サーミスタ回路は（図示しない）ソリッドステートモータ保護制御装置によってつねに監視されている。温度閾値に達した際、サーミスタはソリッドステートモータ保護制御装置に信号を送り、制御装置は（図示しない）リレーを作動し、電気モータを消勢する。
【００１２】
主軸受ハウジング２４は下方部分５０および上方部分５２を有する。下方部分５０は全体的に円筒形の中央部分５４を有し、その中にクランク軸３２の上端が軸受３６によって回転可能に支持されている。直立した環状突起５６が中央部分５４の外周に隣接して下方部分５０に設けられ、正確に機械加工された半径方向外向き面および、それぞれ軸方向上向きの位置決め面５８，６０を有する。複数の半径方向の円周方向に離れた支持アーム６２は中央部分５４から全体的に半径方向外向きに延び、下方軸受ハウジング２０に係合して支持されるように構成された垂下部分を有する。段部６４は各支持アーム６２の垂下部分の端部に設けられ、アーム６２は下方軸受ハウジング２０の接触部分に設けられた対応する凹所に適合して、下方軸受ハウジング２０に対して下方部分５０を半径方向に位置決めするのを助ける。
【００１３】
主軸受ハウジング２４の上方部分５２はそれと一体に形成された上方環状案内リング部分６６を有する全体的にコップ状のもので、環状軸方向推力軸受面６８がリング部分６６の下に設置され、第２環状支持軸受面７０が軸方向推力軸受面６８の下方にかつ半径方向外方に包囲するように位置決めされている。軸方向推力軸受面６８は軌道スクロール部材７２を軸方向に移動可能に支持するのに役立ち、支持軸受面７０はオルダム継手７４を支持している。上方部分５２の下端はそれぞれ半径方向内方にまた軸方向下方に向いた面７６，７８を画定する環状凹所を有し、それらは下方部分５０の面５８，６０とそれぞれ適合するように構成され、相対的に上方および下方部分５０，５２を軸方向および半径方向に位置決めするのを助けている。さらに、空所８０はその上端においてクランク軸３２に固定された釣合重錘４６の回転モーメントに適合するように構成されている。この空所の設置は、釣合重錘４６を軌道スクロール部材７２にきわめて接近して位置決めすることを可能にし、その全体の大きさを減少することができる。
【００１４】
環状の一体に形成された案内リング６６は、非軌道スクロール部材３０の半径方向外方に延びるフランジ部分８４に対してこれを囲むように位置決めされ、非軌道スクロール部材３０を半径方向に位置決めしかつ軸方向運動を案内するように、フランジ部分８４の半径方向外向き面８８に摺動的に接触するように構成された半径方向内向き面８６を有する。軌道スクロール部材７２から離れる方向の非軌道スクロール部材３０の軸方向運動を制限するため、複数の停止部材９０が設けられ、それらはボルト９２によって環状リングの頂面に固定されている。各停止部材９０は半径方向内方に延びる部分を有し、その部分は非軌道スクロール部材３０のフランジ部分８４の上面に載置し、それと共働して非軌道スクロール部材３０の軸方向上方運動を制限するように構成されている。またボルト９２は主軸受集合体の上方および下方部分５０，５２を一緒に固定すること、ならびにこの集合体を下方軸受ハウジング２０に固定するのに役立っている。また停止部材９０の軸方向位置決めはフランジ８４の対応する反対側の面に対して正確に制御され、非軌道スクロール部材３０のわずかな制限された運動を可能にしていることを認識すべきである。前記スクロール型圧縮機は１９９２年４月６日付けの“スクロール機械の非軌道スクロール取付装置”と称する、本出願人の共願である米国特許出願連続番号第８６３，９４９号に一層詳細に記載されている。
【００１５】
非軌道スクロール部材３０は上方に開放する空所９６に連通する中央に設置された排出通路９４を有し、空所９６はふた１４および隔壁１８によって画定された排出消音室１００と流体的に連通している。非軌道スクロール部材３０はその上面に平行な共軸の側壁を有する環状凹所１０２を備え、その中には環状浮動シール１０４が相対的に軸方向に移動可能に設置され、シール１０４は凹所１０２の底部を吸気および排出圧力のガスの圧力から隔離し、（図示しない）通路によって中間流体圧力源と流体的に連通している。非軌道スクロール部材３０は、非軌道スクロール部材３０の中央部分に作用する排出圧力によって発生された力により、また凹所１０２の底部に作用する中間流体圧力によって発生された力によって軌道スクロール部材７２に対し軸方向に偏倚される。この軸方向偏倚ならびに制限された軸方向運動が可能なようにスクロール部材３０を支持する他の種々の技術は、本出願人の米国特許第４，８７７，３８２号に一層詳細に開示され、その開示をここに参照する。
【００１６】
浮動シール１０４の構造の詳細は本発明の一部を構成するものでないが、例示のため、シール１０４は同軸のサンドイッチ構造のもので、それぞれ基部１２４が拡大した複数の等間隔に離れた一体の突起１２２を備えた環状基板１２０を有する。板１２０の上には基部１２０をうけ入れる複数の等間隔に離れた孔を有する環状ガスケット１２６が設けられ、その頂部には基部１２４をうけ入れる複数の等間隔に離れた孔を有する板１３０が設けられ、また板１３０の頂部には突起１２２をうけ入れる複数の等間隔に離れた孔を有する環状上方シール板１３４によって同軸位置に保持される環状ガスケット１３２が設けられている。シール板１３４はその内周に上方に突出する平らなシールリップ１３６を備えている。集合体は符号１３８で示されたように、各突起の１２２の端部を据え込むことによって一緒に固定される。
【００１７】
シール集合体全体は三つの別々のシール、すなわち、図３にもっともよく示されたように、１４４および１４６における内径シール、１４８における外径シールおよび１５０における頂部シールを構成している。シール１４４は環状ガスケット１２６内周と凹所１０２内壁との間に、またシール１４６は環状ガスケット１３２内周と凹所１０２内壁との間にある。シール１４４，１４６は凹所１０２底部の中間圧力の流体を凹所９８の排出圧力の流体から隔離する。シール１４８は環状ガスケット１２６外周と空所１０２外壁との間にあって凹所１０２底部の中間圧力の流体を、殻体１２内の吸気圧力の流体から隔離する。シール１５０はシールリップ１３６と隔壁１８の開口９８を囲む環状摩耗リング１５２との間にあって、吸気圧力の流体をシール集合体頂部を横切る排出圧力の流体から隔離している。付加的のシール構造の詳細は本出願人の米国特許第５，１５６，５３９号に一層詳細に記載されている。
【００１８】
スクロール部材の相対的回転は上記米国特許第４，８７７，３８２号に開示された型の通常のオルダム継手によって阻止するのが好ましいが、１９９０年１０月１日付けの本出願人の共願である“スクロール圧縮機用オルダム継手”と称する米国特許出願連続番号第５９１，４４３号に開示されたものをその代わりに使用することもでき、この発明をここに参照する。
圧縮機は“低側壁型”とするのが好ましく、ガス入口２２から流入する吸入ガスは、一部が、殻体１２内に流出しモータの冷却を助ける。適当な吸入ガスの還流が存在する限り、モータは所望の温度限界内に維持される。しかしながら、この流れがいちじるしく減少するとき、冷却の減少は場合により温度センサ４８をして制御装置に信号を送らせ、電気モータを停止する。
上記に概略記載されたスクロール型圧縮機はこの技術分野において公知であり、本出願人の他の共願の主題でもある。以下、本発明の原理に関連する構造の詳細は全体的に符号２００で示された特異な熱保護装置とともに説明する。
【００１９】
図１ないし３に示された本発明の熱保護装置２００は非軌道スクロール３０内に設置され、温度センサ２０２、センサ管２０４および拡大コネクタ２０６を有する。非軌道スクロール３０は縦方向に延びる通路２０８を有し、通路２０８は非軌道スクロール３０の外径から排出通路９４まで延びている。排出通路９４の反対側の通路２０８の端部は拡大シール座２１０および内ねじ面２１２を備えている。センサ管２０４は中空円筒管で、管は一端が閉鎖され閉鎖端部の反対側に拡大端部２１４を有する。センサ管２０４は通路２０８に、菅の閉鎖端部２０４が排出通路２０８内に延び拡大端部２１４の外面がシール座２１０に載置するように、挿入される。
【００２０】
温度センサ２０２は中空円筒管２０４内に、センサ２０２の感知端が排出通路９４内に設置された管２０４の閉鎖端部に位置するように挿入される。センサ管２０４は要すればセンサ２０２の保持を助けるため２１６で示されたように転造される。センサ２０２の感知端から延びる導線は、コネクタ２０６を通って供給され、拡大コネクタ２０６は通路２０８のねじ面２１２に螺着される。拡大コネクタを締付けるとき、コネクタ２０６の斜切面２１８は、センサ管２０４の拡大端部２１４の内面に係合する。拡大端部２１４を引続いて締付けると、センサ管２０４の拡大端部２１４は拡大コネクタ２０６の斜切面２１８と非軌道スクロール３０のシール座２１０との間に圧縮され、圧縮機の高圧排出側と低圧吸入側との間の流体シールを形成する。また拡大コネクタ２０６はセンサの保持にも役立つ。センサ２０２の感知端から延びる導線は、圧縮機１０の種々の内部要素の周りおよび内部を通り、温度センサ４８を有する熱保護回路に接続される。クリップ２２０は、導線が所定位置に保持され溶接または圧縮機の運転によって損傷をうけないように、確実に保持するため使用される。
【００２１】
温度センサ２０２は温度センサ４８と、過度の排出ガス温度がセンサ２０２によって感知されたときまたはモータ巻線の過熱状態が温度センサ４８によって感知されたとき、モータが制御装置によって消勢されるよう、直列に接続される。ソリッドステートモータ保護制御装置が圧縮機１０の運転状態を監視するため使用されるとき、温度センサ２０２は温度センサ４８について上記に記載したものと同様のサーミスタとするのが好ましい。
上記好ましい実施例は排出ガスの温度感知および電気モータの熱保護装置と組合わされた感知装置を記載したが、圧縮機１０の他の運転特性を感知して圧縮機の運転状態を指示すること、およびこの感知装置をモータ熱保護回路と組合わせることも本発明の範囲内にある。監視しうる他の運転状態には、非軌道スクロール部材３０の実際の温度、排出消音室内の実際の圧力または種々の他の運転特性が含まれる。
【００２２】
図４を参照すると、本発明の熱保護装置を備えたスクロール型圧縮機３００が示されている。圧縮機３００は、その下端にカバー３１２をまたその上端にふた３１４を溶接された円筒形密閉殻体３１０を有する。ふた３１４は任意に（図示しない）通常の排出弁を有する排出取付具３１６を備えている。殻体３１０、カバー３１２およびふた３１４によって形成される密閉殻体内に固定される他の部材は、吸入ガス入口取付具３１５、下方軸受ハウジング３１８、中間軸受ハウジング３２０、上方軸受ハウジング３２２およびモータ固定子３２４である。下方軸受ハウジング３１８は、この技術において周知の方法によってその外周において殻体３１０に固定されている。
クランク軸３２６は、下方軸受ハウジング３１８に設置された軸受３２８および中間軸受ハウジング３２０に設置された軸受３３０に回転可能軸支されられている。図１に示された圧縮機と同様に、クランク軸３２６は（図示しない）通常のオイル給送孔を有し、円筒形殻体３１０の下方部分は通常のように潤滑油を充たされ、クランク軸３２６内に設置されたポンプは一次ポンプで、そのポンプは潤滑を必要とする圧縮機の種々のすべての部分に潤滑油を給送する。
【００２３】
クランク軸３２６は電気モータによって回転駆動され、電気モータはモータ巻線３２２が挿通する固定子３２４、およびクランク軸３２６にプレス嵌めされたモータ回転子３３４を備えている。モータに対する動力はコネクタ３３６によって供給される。通常の型の温度センサ４８はモータ巻線３３２に密接して設置され、もしモータ巻線３３２が特定の運転温度を超えるならば、温度センサ４８は（図示しない）制御装置に信号を送ってモータを消勢する。電気モータが三相電気モータであるとき、別々の温度センサ４８が電流の各位相のモータ巻線に密接して設けられる。これらの多数の温度センサ４８は直列に接続され、三相巻線のいずれの一つの過熱も対応する温度センサ４８を過熱して、センサに制御装置に信号を送らせモータを消勢する。好ましい実施例において、温度センサはサーミスタであり、サーミスタ回路は（図示しない）ソリッドステートモータ保護回路によってつねに監視される。温度閾値に達するとき、サーミスタはソリッドステートモータ保護制御装置に信号を送り、（図示しない）リレーを作動してモータを消勢する。温度センサ４８に対する電気的接続はコネクタ３３８によって実施される。
【００２４】
中間軸受ハウジング３２０は全体的に円筒形の中央部分３４０を有し、その中にクランク軸３２６の上端が軸受３３０によって回転可能に支持されている。直立環状突起３４２は中央部分３４０外周に隣接して中間軸受ハウジング３２０に設けられ、上向きの支持面３４４を有する。環状部分３４６は環状突起３４２から全体的に半径方向外方に延び、段部３４８を有し、段部３４８は上方軸受ハウジング３２２に設けられた対応する段部３５０に適合して、中間軸受ハウジング３２０に対し上方軸受ハウジング３２２を半径方向に位置決めするのを助ける。環状部分３４６の外面は殻体３１０に適合するように構成され、中間軸受ハウジング３２０をこの技術において周知のように殻体３１０内に固定している。
【００２５】
上方軸受ハウジング３２２は全体的に円筒形の中央部分３６０を有し、その中に上方スクロール部材３６２が軸受３６４によって回転可能に支持されている。環状フランジ３６６は中央部分３６０の下端から半径方向外方に延びて、上方スクロール部材３６２の支持面３６８を形成している。軸受３７０は支持面３６８と上方スクロール部材３６２との間に設置されている。環状壁３７２は、中央部分３６０の上端から半径方向外方に延び、その外周においてこの技術において周知のように殻体３１０に固定されている。シール３７４は上方排出区域３７６を下方吸気区域からシールしている。全体的に円筒形の部分３８０は環状壁３７２から下方に延び、段部３４８に密接する段部３５０を有する。多数の孔３８２が円筒形部分３８０を通して設けられ、吸気圧力のガスが圧縮機部分に進入できるようになっている。
【００２６】
下方スクロール３８４はクランク軸３２６に回転のため固定され、軸受３８６によって支持面３４４に支持されている。下方スクロール３８４は上方スクロール３６２と噛合い、上方ならびに下方スクロール３８２，３８４は一緒にしかし別の軸線上で回転し、それによりらせん状重なりは吸入区域３７８から排出区域３７６まで徐々に容積が減少するポケットを形成する。上方スクロール３６２は上方軸受ハウジング３２２の開口３９６を通して排出区域３７６に連通する中央に設置された排出通路３９４を有する。
上記概略記載されたスクロール圧縮機はこの技術において公知であるかまたは本出願人の他の係続中の特許出願の主題である。本発明の原理に関連する構造の詳細は、全体的に符号４００で示された特異な熱保護装置を備えた装置である。
本発明の熱保護装置４００は、上方軸受ハウジング３２２を通って延びる縦に貫通する通路４０８を備えていることを除き、熱保護装置２００と同じである。また熱保護装置４００は、管２０４の通路４０８への挿入、管２０４および通路４０８と連通する拡大コネクタ２０６による排出区域３７６と吸気区域３７８との間のシールを含む、図３に示されたものと同様の、センサ２０２、センサ管２０４および拡大コネクタを備えている。
【００２７】
センサ２０２の感知端から延びる導線は、圧縮機３００の種々の内部要素の周りをまたそれを通って延び、温度センサ４８を有する熱保護回路に接続される。
温度センサ２０２は温度センサ４８と直列に接続され、モータは過度の排出ガス温度がセンサ２０２によって感知されたときまたはモータ巻線の過熱温度がセンサ４８によって感知されるにより、制御装置によって消勢される。ソリッドステートモータ保護制御装置は圧縮機３００の運転状態を監視するため使用され、温度センサ２０２は上記温度センサ４８について記載したものと同様にサーミスタとするのが好ましい。
【００２８】
上記の好ましい実施例は排出ガスの温度感知および温度感知をモータの熱保護装置に組合わせることを記載したが、圧縮機３００の他の運転特性を感知して圧縮機の運転状態を指示すること、およびこの感知装置をモータの熱保護装置に組合わせることも本発明の範囲内にある。監視しうる他の運転状態は上方軸受ハウジング３２２の実際の温度、排出区域３７６内の実際の圧力または他の運転特性を含んでいる。
上記の記載は本発明の好ましい実施例であるが、本発明は特許請求の範囲の記載の範囲およびその正当な解釈から離れることなく、変形、変更をうけいれるものである。
【００２９】
本発明は、圧縮機の排出区域に温度センサを設け、この温度センサを通常のモータ温度センサと直列に接続したから、密閉殻体にさらに穿孔することなく、従来の温度制御装置をそのまま利用することができる。
【図面の簡単な説明】
【００３０】
【図１】本発明の熱保護装置を備えたスクロール圧縮機の縦断面図。
【図２】本発明の熱保護装置の設置状態を示す図１の圧縮機の平面図。
【図３】本発明の圧縮機の温度センサおよび非軌道スクロールを示す図１の一点鎖線の区域の拡大図。
【図４】本発明の他の実施例による熱保護装置を備えたスクロール圧縮機の略図。
【符号の説明】
【００３１】
１０  圧縮機
１２  密閉殻体
１６  排出取付具
２２  吸入取付具
２６  モータ固定子
３０  非軌道スクロール
３２  クランク軸
４４  モータ回転子
７４  オルダム継手
７２  軌道スクロール
９４  排出通路
１０４  浮動シール
２００  熱保護装置
２０２  温度センサ感知部
２０６  拡大コネクタ
２１４  拡大端部
３００  圧縮機
３１０  密閉殻体
３１６  排出取付具
３２４  モータ固定子
３３４  モータ回転子
３２６  クランク軸
３６２  上方スクロール
３８４  下方スクロール
３７６  排出区域
３９４  排出通路
４００  熱保護装置
【図１】
2005344726.tif 000003
【図２】
2005344726.tif 000004
【図３】
2005344726.tif 000005
【図４】
2005344726.tif 000006